(57)【要約】【課題】写真撮影機能を有する一体型携帯電話無線機で撮影者自身と背景を入れた撮影を行う場合、他の構造物を使用せずに携帯電話無線機を自立保持させる。【解決手段】カメラを備える携帯電話無線機本体１に内蔵される電池パック２を覆って保護するための電池カバー３に自立維持機能を併せて持たせる。電池カバー３は長手方向に本体支持部１０と床面支持部１１に２分割でき、床面支持部１１が本体支持部１０のスライド部を案内として矢印Ａ方向に伸長できる。回転軸７への回転ガイド１２の回転嵌合により電池カバー３全体を矢印Ｂ方向に回動させ、床面支持部１１の矢印Ａ方向への伸長長さを適度に設定することにより、携帯電話無線機本体１が自立保持できる。端子カバー９も矢印Ｃ方向に引き出し自立を補助する。【選択図】      図４
2005204005.tif 000002
【特許請求の範囲】
【請求項１】
携帯電話無線機に実装され前記携帯電話無線機の本体をその長手方向に略垂直に自立させる自立機構を備え、該自立機構は、前記携帯電話無線機の本体に内蔵される電池パックを覆って保護する電池カバー機能及び自立時に前記携帯電話無線機本体から回動開閉して自立を維持する自立維持機能を兼ね備えた構成を有することを特徴とする携帯電話無線機の本体自立構造。
【請求項２】
前記自立機構は、前記電池カバー機能としての電池カバーに前記携帯電話無線機本体の自立維持時の角度を調整しうるべく前記長手方向に伸長自在な伸長機構を有することを特徴とする請求項１記載の携帯電話無線機の本体自立構造。
【請求項３】
前記電池カバーの前記伸長機構は、前記電池カバーが前記長手方向に２分割されてなり、２分割した一方側にはストッパ爪を含むスライドガイド部が設けられ、２分割した他方側には前記スライドガイド部に摺動嵌合して前記長手方向に移動できるゲート部及び前記ストッパ爪と係合して伸長長さを規定する凸部とが設けられることを特徴とする請求項２記載の携帯電話無線機の本体自立構造。
【請求項４】
前記電池カバーの前記伸長機構は、前記電池カバーに対し前記長手方向にスライド自在なスライダーと、前記電池カバーに設けられ前記スライダーの凸部と係合して伸長長さを規定するストッパとからなることを特徴とする請求項２記載の携帯電話無線機の本体自立構造。
【請求項５】
前記電池カバーと前記携帯電話無線機本体との連結部分は、前記電池カバー側の凹部と前記携帯電話無線機本体側の軸部とが回転自在且つ着脱自在に嵌合するようになっていることを特徴とする請求項２ないし４のいずれかに記載の携帯電話無線機の本体自立構造。
【請求項６】
前記電池カバーと前記携帯電話無線機本体との連結部分は、前記電池カバー側の凹部と前記携帯電話無線機本体側の軸部とが回転自在且つ着脱不能に嵌合するようになっていることを特徴とする請求項２ないし４のいずれかに記載の携帯電話無線機の本体自立構造。
【請求項７】
前記携帯電話無線機には写真撮影機能が設けられていることを特徴とする請求項１ないし６のいずれかに記載の携帯電話無線機の本体自立構造。
【請求項８】
請求項１ないし７のいずれかに記載した構成の本体自立構造を備えることを特徴とする本体自立構造を有する携帯電話無線機。
【発明の詳細な説明】
【技術分野】
【０００１】
本発明は、携帯電話機、ＰＨＳ、携帯情報端末などの携帯電話無線機、特に写真撮影機能を有する携帯電話無線機の自立構造に関する。
【背景技術】
【０００２】
従来の一体型携帯電話無線機で写真撮影機能を有する携帯電話無線機においては、既存の技術である写真撮影機能を使用したセルフタイマーによる自己撮影を行う際、撮影者は、携帯電話無線機を手に持った状態で、携帯電話無線機背面に設置された鏡等で自分が撮影可能であるか確認し、自己撮影を行っていた。そのため、撮影者と携帯電話無線機の距離は、撮影者の手の長さまでであった。折り畳み型携帯電話無線機であれば、キーボタン側を撮影時の台として使用することで安定した状態での撮影が可能であるが、一体型の携帯電話無線機においては、自立させる場合、携帯電話無線機の厚さのみでは、不安定であり、通常のカメラのように、風景と撮影者を入れた撮影を行う場合には、他の構造物を使用し、携帯電話無線機を保持し、自立させる必要があった。
【０００３】
一方、一体型携帯電話無線機で他の構造物を使用せず、携帯電話無線機が有するバッテリー部を利用して自立を保持しようとする先行技術が、以下の特許文献１に開示されている。
【０００４】
【特許文献１】特開２０００−１３４２９７号公報（第２−３頁、図３）  この特許文献１の構成を図１３に示す。携帯通信装置５１において、バッテリー５３とバッテリー接続部５４とから構成されるスタンドバッテリー部５２を回動支点５５を中心に携帯通信装置５１に対し矢印Ｄのように回動させる。携帯通信装置５１の本体側には、アンテナ５６、操作部５７、表示部５８、スピーカ５９、マイク６０などが実装されている。回動させたスタンドバッテリー部５２を自立時の土台とすることで、携帯通信装置５１を任意の角度で自立させることができる。これによりアンテナ５６の最適指向性が得られ、また表示部５８の最も見やすい状態が設定できる。なお、この構成においては、バッテリー５３からの電源を携帯通信装置５１側に供給するための電気的接続構造がバッテリー接続部５４内に設けられ、また携帯通信装置５１を任意角度で自立保持させるための適度な回転トルク摺接維持機構が回動支点５５の内部に設けられる。
【発明の開示】
【発明が解決しようとする課題】
【０００５】
上述した従来の写真撮影機能を有する一体型携帯電話無線機では、撮影者自身と背景を入れた撮影を行う場合には、他の構造物を携帯し、これを使用して携帯電話無線機を自立させる必要があり、煩わしさを伴うという問題がある。
【０００６】
また特許文献１による技術では、バッテリー部分を自立用のスタンドとして利用するため、わざわざ他の構造物を携帯する必要がなく便利である。しかし乍ら
、バッテリー部分全体を回動させるので、電源供給用の電気的接続構造及び任意角度で自立保持させる回転トルク摺接維持機構を携帯通信装置本体とバッテリー部分の間に設けねばならない。これらの構造や機構は複雑で部品点数が多く、製造コストアップを来たし、特に電源供給用の電気的接続構造は多数回の回動を行った場合に故障発生の要因になりかねないという問題がある。
【０００７】
本発明の目的は、上記従来の問題点を解消し、携帯電話無線機を自立保持させるに際し、携帯電話無線機を携帯するだけで他の構造物を使用する煩わしさが不要であり、且つバッテリー部分を利用しても構造が簡単でコストアップを来たすことなく、また故障の恐れのない携帯電話無線機の本体自立構造を提供することにある。
【課題を解決するための手段】
【０００８】
本発明の携帯電話無線機の本体自立構造は、携帯電話無線機に実装され前記携帯電話無線機の本体をその長手方向に略垂直に自立させる自立機構を備え、該自立機構は、前記携帯電話無線機の本体に内蔵される電池パックを覆って保護する電池カバー機能及び自立時に前記携帯電話無線機本体から回動開閉して自立を維持する自立維持機能を兼ね備えてなる。
【０００９】
この携帯電話無線機の本体自立構造において、前記自立機構は、前記電池カバー機能としての前記電池カバーに前記携帯電話無線機本体の自立維持時の角度を調整しうるべく前記長手方向に伸長自在な伸長機構を有するものとする。
【００１０】
またこの携帯電話無線機の本体自立構造において、前記電池カバーの前記伸長機構は、前記電池カバーが前記長手方向に２分割されてなり、２分割した一方側にはストッパ爪を含むスライドガイド部が設けられ、２分割した他方側には前記スライドガイド部に摺動嵌合して前記長手方向に移動できるゲート部及び前記ストッパ爪と係合して伸長長さを規定する凸部とが設けられることが好ましい。
【００１１】
またこの携帯電話無線機の本体自立構造において、前記電池カバーの前記伸長機構は、前記電池カバーに対し前記長手方向にスライド自在なスライダーと、前記電池カバーに設けられ前記スライダーの凸部と係合して伸長長さを規定するストッパとからなっていてもよい。
【００１２】
さらにこの携帯電話無線機の本体自立構造において、前記電池カバーと前記携帯電話無線機本体との連結部分は、前記電池カバー側の凹部と前記携帯電話無線機本体側の軸部とが回転自在且つ着脱自在に嵌合するようになっていてもよいし或いは前記電池カバーと前記携帯電話無線機本体との連結部分は、前記電池カバー側の凹部と前記携帯電話無線機本体側の軸部とが回転自在且つ着脱不能に嵌合するようになっていてもよい。
【００１３】
またこれらの携帯電話無線機の本体自立構造において、前記携帯電話無線機には写真撮影機能が設けられているものとする。
【００１４】
また本発明の本体自立構造を有する携帯電話無線機は、上述したごときそれぞれの構成の本体自立構造を備えてなる。
【００１５】
このような本発明の携帯電話無線機の本体自立構造によれば、携帯電話無線機の電池カバーに、本来の電池カバーの機能に加えて本体・床面を支持し且つ携帯電話無線機の自立を補助する機能を兼用して設けることにより、携帯電話無線機を自立保持させることが可能となり、既存技術である携帯電話無線機の写真撮影機能を使用する際に、従来と同様に、携帯電話無線機を保持した状態での撮影、及び携帯電話無線機から離れた位置での自己撮影が可能となる。
【発明の効果】
【００１６】
第１の効果は、写真撮影機能を有する一体型携帯電話無線機で撮影者自身と背景を入れたセルフタイマーによる撮影などを行う場合、何の構造物を携帯することなしに離れた位置からの撮影が行え、煩わしさを伴わないことである。
【００１７】
その理由は、携帯電話無線機本体をその長手方向に略垂直に自立保持させるよう回動開閉する自立機構を携帯電話無線機に実装して備えるからである。
【００１８】
第２の効果は、上述した自立機構にバッテリー部分を利用しても、構造が簡単でコストアップを招くことがなく、また故障発生要因となる電気的接続部分を要しないことである。
【００１９】
その理由は、自立機構として携帯電話無線機本体に内蔵の電池パックを覆って保護する電池カバーを兼用して利用するからである。
【発明を実施するための最良の形態】
【００２０】
次に、本発明について図面を参照して説明する。
【００２１】
図１は本発明の第１の実施の形態の構成を示す分解斜視図、図２は第１の実施の形態の電池カバーの詳細構造を示す斜視図、図３及び図４は第１の実施の形態における自立機能を使用しない通常状態及び自立機能を使用している状態をそれぞれ示す一部破断側面図である。
【００２２】
第１の実施の形態の構成は、図１に示すように、携帯電話無線機本体１、携帯電話無線機本体１に内蔵実装される電池パック２、電池パック２を覆うとともに自立機能を司る電池カバー３を有してなる。また、携帯電話無線機本体１には、既存の写真撮影機能であるカメラ４、自己撮影時の確認用に使用する鏡５、携帯電話無線機本体１を自立させる際に床に接触する支持突起６、電池カバー３の開閉回動時に回転支点となる回転軸７、端子の保護ならびに自立時に前方への転倒防止を目的とする端子カバー９とを有する。
【００２３】
電池パック２には側面端部に嵌合凸８を有し、この嵌合凸８と携帯電話無線機本体１の図示しない嵌合凹とが嵌合することにより、電池パック２は携帯電話無線機本体１に装着固定される。
【００２４】
電池カバー３は、図２に示すように、本体支持部１０と床面支持部１１とに長手方向に２分割され、長手方向に伸長自在な構成となっている。本体支持部１０側には、図１に示した携帯電話無線機本体１の回転軸７に嵌合して電池カバー３を回転させる回転ガイド１２、分割した他方の床面支持部１１と摺動嵌合するスライド部１３、スライド部１３に設けられ床面支持部１１を摺動させて本体支持部１０と離れる方向に引き出した際に引き出し後の床面支持部１１の位置を固定するための嵌合凹１４とを有する。また床面支持部１１側には、本体支持部１０のスライド部１３とのずれ防止を行うためのゲート１５、スライド部１３の嵌合凹１４と嵌合して引き出し後の伸長長さを設定し位置決めを行うための嵌合凸１６、本体支持部１０と床面支持部１１を縮めて本来の電池カバーとして使用する際に携帯電話無線機本体１と嵌合ロックする本体嵌合爪１７とを有する。
【００２５】
次に、このような構成の第１の実施の形態の動作について、図３及び図４を参照して説明する。
【００２６】
まず従来と同様に、電池カバー３を本来の電池カバーとして使用する場合には、図３に示すように、本体支持部１０と床面支持部１１を縮めて一体に連結し、本体支持部１０の回転ガイド１２を携帯電話無線機本体１の回転軸７に沿って嵌合回転させて電池パック２を覆い、本体嵌合爪１７を携帯電話無線機本体１側の爪嵌合凹１８に嵌合させて固定すればよい。また電池パック２の交換の際など、電池カバー３を取り外す場合には、上述したのと逆の手順により携帯電話無線本体１から取り外しを行う。このように電池カバー３は、回転軸７と回転ガイド１２の嵌合により、携帯電話無線機本体１に対し着脱自在である。
【００２７】
次に、電池カバー３を自立機構として使用する場合について図４により説明する。電池カバー３の床面支持部１１を矢印Ａ方向に必要な長さまで引き出し、図２に示したスライド部１３の嵌合凹１４と床面支持部１１の嵌合凸１６との係合により、電池カバー３を任意の長さで固定する。図４に示すように、回転ガイド１２を回転軸７に引っ掛け、電池カバー３全体を矢印Ｂ方向に回動させ、さらに端子カバー９を前方（矢印Ｃ方向）に引き出し、支持突起６とともに携帯電話無線機本体１を床面上に支持する。この動作により、携帯電話無線機本体１を自立保持させることが可能となる。
【００２８】
なお図４においては、携帯電話無線機本体１が床面に対しほぼ垂直に自立しているように図示してあるが、床面支持部１１の引き出し長さを適度に設定し、電池カバー３の全体長さを任意とすることにより、携帯電話無線機本体１の自立時の傾斜角度を自在に調整しうることは言うまでもない。
【００２９】
次に、本発明の第２の実施の形態について説明する。図５は本発明の第２の実施の形態の構成を示す分解斜視図、図６は第２の実施の形態の電池カバーの詳細構造を示す斜視図、図７及び図８は第２の実施の形態における自立機能を使用しない通常状態及び自立機能を使用している状態をそれぞれ示す一部破断側面図である。
【００３０】
第２の実施の形態は、図５に示すように、携帯電話無線機本体２１、電池パック２、電池カバー２２、支持突起６、回転軸７、嵌合凸８及び端子カバー９とを有して構成される。この第２の実施の形態において、第１の実施の形態と異なるのは電池カバー２２の長手方向への伸長構成部分のみであって、第１の実施の形態の場合と同様な効果を得ることができる。
【００３１】
この実施の形態における電池カバー２２の構造は、図６に示すように、前述と同様の機能を有する回転ガイド２３及び本体嵌合爪２４を有し、さらに電池カバー２２の内側には、自立時に床面を支持するべく矢印Ａ方向に必要な長さまで引き出しできる機能を有するスライド２５、このスライド２５を引き出した際に引き出し後の伸長長さを設定し位置決め固定するための嵌合突起２６及びストッパー２７を有してなる。
【００３２】
次に、このような構成の第２の実施の形態の動作について、図７及び図８を参照して説明する。
【００３３】
まず従来と同様に、電池カバー２２を本来の電池カバーとして使用する場合には、図７に示すように、スライド２５を電池カバー２２内に引き込んで収納し、第１の実施の形態と同様に、回転ガイド２３を携帯電話無線機本体２１の回転軸７に沿って嵌合回転させて電池パック２を覆い、本体嵌合爪２４を携帯電話無線機本体２１の爪嵌合凹１８に嵌合させて固定すればよい。また電池パック２の交換の際など、電池カバー２２を取り外す場合には、上述したのと逆の手順により携帯電話無線機本体２１から取り外しを行う。この場合も電池カバー２２は、回転軸７と回転ガイド２３の嵌合により、携帯電話無線機本体２１に対し着脱自在である。
【００３４】
次に、電池カバー２２を自立機構として使用する場合について図８により説明する。電池カバー２２からスライド２５を矢印Ａ方向に必要な長さまで引き出し、図６に示した嵌合突起２６とストッパー２７の係合により、スライド２５を伸ばした状態で固定し、電池カバー２２を任意の長さとする。図８に示すように、回転ガイド２３を回転軸７に引っ掛け、電池カバー２２全体を矢印Ｂ方向に回動させ、さらに端子カバー９を矢印Ｃ方向に引き出し、支持突起６とともに携帯電話無線機本体２１を床面上に支持する。この動作により、携帯電話無線機本体２１を自立保持させることが可能となる。
【００３５】
なおこの場合も、スライド２５の引き出し長さを適度に設定し、電池カバー２２の全体長さを任意とすることにより、携帯電話無線機本体２１の自立時の傾斜角度を自在に調整しうることは言うまでもない。
【００３６】
次に、本発明の第３の実施の形態について説明する。図９は本発明の第３の実施の形態の構成を示す分解斜視図、図１０は第３の実施の形態の電池カバーの詳細構造を示す斜視図、図１１及び図１２は第３の実施の形態における自立機能を使用しない通常状態及び自立機能を使用している状態をそれぞれ示す一部破断側面図である。
【００３７】
第３の実施の形態は、図９に示すように、携帯電話無線機本体３１、電池パック２、電池カバー３２、支持突起６、回転軸７、嵌合凸８及び端子カバー９とを有して構成される。
【００３８】
上述した第１及び第２の実施の形態においては、電池カバーが携帯電話無線機本体から着脱自在に取り外せる構成となっていた。しかしこの第３の実施の形態においては、電池カバー３２の構造を変更することにより、携帯電話無線機本体３１の自立構造だけではなく、電池カバー３２の脱落による紛失防止の機能をも合わせ持たせたものとしている。
【００３９】
第３の実施の形態の構成の特徴は、図１０に示すように、電池カバー３２に上述した回転ガイドと同様で且つ脱落防止の機能を有するフック３３を有することである。また図９に示すように、携帯電話無線機本体３１にフック３３を嵌合させるための回転軸７を有する。電池カバー３２のその他の構成、即ち本体嵌合爪２４、スライド２５、嵌合突起２６及びストッパー２７は第２の実施の形態の場合と同構成である。なお電池カバー３２は、メーカーでの製品組立時、フック３３を変形させ、回転軸７に着脱不能に嵌合させるものとする。
【００４０】
次に、このような構成の第３の実施の形態の動作について、図１１及び図１２を参照して説明する。
【００４１】
まず従来と同様に、電池カバー３２を本来の電池カバーとして使用する場合には、図１１に示すように、スライド２５を電池カバー３２内に引き込んで収納し、フック３３部分を携帯電話無線機本体３１の回転軸７に沿って嵌合回転させて電池パック２を覆い、本体嵌合爪２４を携帯電話無線機本体３１の爪嵌合凹１８に嵌合させて固定すればよい。また電池パック２の交換の際など、電池カバー３２を開ける場合には、上述したのと逆の手順により回転軸７を支点にして回転させ開ければよい。この場合、電池カバー３２は回転軸７から着脱不能であり、脱落による紛失防止がはかられる。
【００４２】
次に、電池カバー３２を自立機構として使用する場合について図１２により説明する。電池カバー３２からスライド２５を矢印Ａ方向に必要な長さまで引き出し、図１０に示した嵌合突起２６とストッパー２７の係合により、スライド２５を伸ばした状態で固定し、電池カバー３２を任意の長さとする。図１２に示すように、回転軸７に嵌合させたフック３３を回転中心として電池カバー３２全体を矢印Ｂ方向に回動させ、さらに端子カバー９を矢印Ｃ方向に引き出し、支持突起６とともに携帯電話無線機本体３１を床面上に支持する。この動作により、携帯電話無線機本体３１を自立保持させることが可能となる。
【００４３】
この場合も、スライド２５の引き出し長さを適度に設定し、電池カバー３２の全体長さを任意とすることにより、携帯電話無線機本体３１の自立時の傾斜角度を自在に調整しうることは言うまでもない。
【００４４】
なお第３の実施の形態における回転軸７から着脱不能なフック３３の構成を、上述した第１の実施の形態の図２に示す２分割した電池カバー３の回転ガイド１２に変えて適用してもよい。
【図面の簡単な説明】
【００４５】
【図１】本発明の第１の実施の形態の構成を示す分解斜視図である。
【図２】第１の実施の形態の電池カバーの詳細構造を示す斜視図である。
【図３】第１の実施の形態における自立機能を使用しない通常状態を示す一部破断側面図である。
【図４】第１の実施の形態における自立機能を使用している状態を示す一部破断側面図である。
【図５】本発明の第２の実施の形態の構成を示す分解斜視図である。
【図６】第２の実施の形態の電池カバーの詳細構造を示す斜視図である。
【図７】第２の実施の形態における自立機能を使用しない通常状態を示す一部破断側面図である。
【図８】第２の実施の形態における自立機能を使用している状態を示す一部破断側面図である。
【図９】本発明の第３の実施の形態の構成を示す分解斜視図である。
【図１０】第３の実施の形態の電池カバーの詳細構造を示す斜視図である。
【図１１】第３の実施の形態における自立機能を使用しない通常状態を示す一部破断側面図である。
【図１２】第３の実施の形態における自立機能を使用している状態を示す一部破断側面図である。
【図１３】従来の携帯通信装置の自立構造を示す斜視図である。
【符号の説明】
【００４６】
１、２１、３１  携帯電話無線機本体
２  電池パック
３、２２、３２  電池カバー
４  カメラ
５  鏡
６  支持突起
７  回転軸
８、１６  嵌合凸
９  端子カバー
１０  本体支持部
１１  床面支持部
１２、２３  回転ガイド
１３  スライド部
１４  嵌合凹
１５  ゲート
１７、２４  本体嵌合爪
１８  爪嵌合凹
２５  スライド
２６  嵌合突起
２７  ストッパー
３３  フック
５１  携帯通信装置
５２  スタンドバッテリー部
５３  バッテリー
５４  バッテリー接続部
５５  回動支点
５６  アンテナ
５７  操作部
５８  表示部
５９  スピーカ
６０  マイク
【図１】
2005204005.tif 000003
【図２】
2005204005.tif 000004
【図３】
2005204005.tif 000005
【図４】
2005204005.tif 000006
【図５】
2005204005.tif 000007
【図６】
2005204005.tif 000008
【図７】
2005204005.tif 000009
【図８】
2005204005.tif 000010
【図９】
2005204005.tif 000011
【図１０】
2005204005.tif 000012
【図１１】
2005204005.tif 000013
【図１２】
2005204005.tif 000014
【図１３】
2005204005.tif 000015